(57)【要約】【課題】付属部品取付用の取付部材を、外箱の下部開口部に容易に、かつ安定的に取付ける。【解決手段】外箱２の下部開口部の上端に設けた手摺部材１３の冷蔵室側の内面に、前方に凹入する係合溝１７と、その下方において係合溝１７よりも後方に位置する段差部１９とを、左右方向に向かって設け、左右方向を向く取付部材２０の下端を、段差部１９に載置するとともに、前方を向く係合片２２を、係合溝１７に、係合手段２７，２８をもって係合させる。【選択図】図２
2007275274.tif 000002
【特許請求の範囲】
【請求項１】
外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気より、エアカーテンを形成して前記冷蔵室を保冷するようにしたオープンショーケースにおいて、
前記外箱の下部の開口部における冷蔵室側の内面に、前方に凹入する係合溝と、該係合溝の下方において係合溝よりも後方に位置する水平な段差部とを、左右方向に向かって設け、付属部品取付用の左右方向を向く取付部材の下端を、前記段差部に載置するとともに、取付部材の前面に前向き突設した左右方向を向く係合片を、前記係合溝に係合手段をもって係合させたことを特徴とするオープンショーケース。
【請求項２】
係合手段を、係合片の上下いずれか一方の面に突設した左右方向を向く係合爪と、係合溝内の上下いずれか一方の面に設けられ、係合片を係合溝に嵌合したとき、前記係合爪が弾性係合する突条もしくは凹条とからなるものとした請求項１に記載のオープンショーケース。
【請求項３】
外箱の開口部の内面における係合溝よりも下方に、前方に凹入する嵌合溝を、その内部の上面と段差部の上面とが同一面をなすように設けるとともに、前記嵌合溝に、取付部材の下端に前向き突設した嵌合片を嵌合した請求項１または２に記載のオープンショーケース。
【請求項４】
外箱の開口部の上端に、外箱の断熱材と一体をなす合成樹脂製の手摺部材を上向きに突設し、この手摺部材の冷蔵室側の内面に、係合溝を段差部と嵌合溝を設けた請求項１ないし３のいずれかに記載のオープンショーケース。
【発明の詳細な説明】
【技術分野】
【０００１】
本発明は、スーパーマーケット等において陳列商品の保冷又は冷凍に用いられるオープンショーケースに係り、特に、フロントガラスやフェンス等の付属部品を取付ける取付部材を有するオープンショーケースに関する。
【背景技術】
【０００２】
この種の取付部材を有するオープンショーケースとしては、例えば、特許文献１ないし３に記載されているものがある。
【０００３】
【特許文献１】特開平０５−３０５０１８号公報
【特許文献２】特開平１１−２６２４３２号公報
【特許文献３】特開２００４−２０９０５１号公報
【発明の開示】
【発明が解決しようとする課題】
【０００４】
上記特許文献１ないし３に記載されているオープンショーケースにおいては、フロントガラスやフェンスを取付ける取付部材を、外箱の下部開口部の冷蔵室側の内面に、複数のねじを用いて取付けているため、取付時に工具が必要となるだけでなく、取付作業が煩雑である。
【０００５】
また、取付部材の下端部のみが、ねじにより固定され、しかもねじは、外箱の断熱材を覆っている薄肉の鋼板に螺合するか、鋼板を挿通して断熱材に螺合されているため、取付部材の取付強度が小さく、フロントガラスやフェンスに後向きの強い外力が繰り返し加わると、取付部材のねじ止め部が変形して見栄えが損なわれたり、取付部材と外箱の内面との間に隙間が形成されて、冷気漏れや結露等を発生させたりする恐れがある。
【０００６】
本発明は、上記問題点を解決するためになされたもので、ねじや工具等を何ら使用することなく、取付部材を容易に、かつ安定的に取付けることができるようにしたオープンショーケースを提供することを目的としている。
【課題を解決するための手段】
【０００７】
上記課題を達成するために、本発明の請求項１に記載のオープンショーケースは、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気より、エアカーテンを形成して前記冷蔵室を保冷するようにしたオープンショーケースにおいて、
前記外箱の下部の開口部における冷蔵室側の内面に、前方に凹入する係合溝と、該係合溝の下方において係合溝よりも後方に位置する水平な段差部とを、左右方向に向かって設け、付属部品取付用の左右方向を向く取付部材の下端を、前記段差部に載置するとともに、取付部材の前面に前向き突設した左右方向を向く係合片を、前記係合溝に係合手段をもって係合させたことを特徴としている。
この特徴によれば、付属部品取付用の取付部材は、その下端を外箱の下部の開口部内面に設けた後方を向く段差部に載置した状態で、取付部材の前面に前向き突設した係合片を、開口部内面の前方に凹入する係合溝に、係合手段をもって係合させるだけで、極めて容易に取付けることができる。
また、係合溝と係合片は左右方向を向いているため、互いの係合領域が左右方向に長く、しかも段差部は、係合溝の下方においてそれよりも後方に位置しているため、取付部材に取付けた付属部品に後向きの外力が加わっても、その力の殆どは段差部により受けられ、係合片にはあまり作用しないので、取付部材を安定的に取付けることができる。
従って、取付部材と外箱の内面との間に隙間が形成されて冷気が漏れたり、結露が発生したりするのが防止される。
【０００８】
本発明の請求項２に記載のオープンショーケースは、請求項１に記載のオープンショーケースであって、係合手段を、係合片の上下いずれか一方の面に突設した左右方向を向く係合爪と、係合溝内の上下いずれか一方の面に設けられ、係合片を係合溝に嵌合したとき、前記係合爪が弾性係合する突条もしくは凹条とからなるものとしたことを特徴としている。
この特徴によれば、係合片を嵌合溝に嵌合するだけで、係合片に設けた左右方向を向く係合爪が、係合溝内の突条もしくは凹条と自動的に弾性係合し、強力な抜け止め効果が得られるので、取付部材はより安定して取付けられる。
【０００９】
本発明の請求項３に記載のオープンショーケースは、請求項１または２に記載のオープンショーケースであって、外箱の開口部の内面における係合溝よりも下方に、前方に凹入する嵌合溝を、その内部の上面と段差部の上面とが同一面をなすように設けるとともに、前記嵌合溝に、取付部材の下端に前向き突設した嵌合片を嵌合したことを特徴としている。
この特徴によれば、取付部材の下面の支持面積が前後方向に増大するとともに、取付部材の係合片と嵌合片とが、上下２個所において係合溝と嵌合溝とに嵌合しているので、取付部材に作用する後向きの力に対し、強い抗力を有し、ぐらつきや変形等が防止される。
【００１０】
本発明の請求項４に記載のオープンショーケースは、請求項１ないし３のいずれかに記載のオープンショーケースであって、外箱の開口部の上端に、外箱の断熱材と一体をなす合成樹脂製の手摺部材を上向きに突設し、この手摺部材の冷蔵室側の内面に、係合溝を段差部と嵌合溝を設けたことを特徴としている。
この特徴によれば、外箱の開口部の上端に突設した手摺部材の内面に、係合溝、段差部及び嵌合溝を設けているので、外箱自体における断熱材を覆う内面の鋼板等に、上記係合溝等を加工する際に比して容易であり、かつ係合溝等を、手摺部材の成形と同時に容易に設けることもできる。
【発明を実施するための最良の形態】
【００１１】
以下、本発明の実施形態を図面に基づいて説明する。
【００１２】
図１は、本発明のオープンショーケース、すなわち陳列商品の保冷や冷凍に使用される冷蔵ショーケースの中央縦断側面図、図２は、下部開口部の拡大断面図である。
【００１３】
図１に示すように、冷蔵ショーケース１は、前面（図の左方）が開放されたほぼコ字形をなす断熱構造の外箱２と、その内方の、同じく前面が開放されたほぼコ字形の内箱３とからなるケース本体４を備え、その内部空間は冷蔵室５となっている。内箱３の背面板３ａには、上下複数段の陳列棚６の後端が取付けられ、この各陳列棚６と内箱３の底板３ｂとの上面に、商品（図示略）が陳列されるようになっている。
【００１４】
外箱２と内箱３との間には、通風路７が形成され、この通風路７の垂直部と底部には、それぞれ冷却装置８と送風機９が設置されている。ケース本体４の上部の前端には、通風路７と連通する冷気吹出口１０が下向きに形成され、またケース本体４の前端下部の上端において外箱２と内箱３との間には、上方に開口する冷気の吸込口１１が形成されている。
【００１５】
送風機９を作動させると、冷却装置８により冷却された冷気は、矢印のように、通風路７内を上方に向かって流れ、冷気吹出口１０より、下方の吸込口１１に向かって吹き出される。これにより、ケース本体４の前面の開放面に冷気のエアカーテン１２が形成されるとともに、その冷気の一部が冷蔵室５内に流入することにより、陳列商品が保冷されるようになる。
【００１６】
図２の拡大図に示すように、外箱２の前端下部における開口部の上端には、左右方向を向く硬質合成樹脂よりなる手摺部材１３が、その下端面を外箱２の断熱材１４の上面に固着（溶着）することにより、一体的に上向きに突設されている。また、１５は、手摺部材１３の上端と、外箱２の前面の化粧パネル１６の上端とに止着された軟質合成樹脂等よりなる手摺カバーである。
【００１７】
手摺部材１３における冷蔵室５側の垂直をなす内面（後面）のやや下方寄りには、前方に凹入するスリット状の係合溝１７が、またその下方には、同じく前方に凹入するスリット状の嵌合溝１８が、それぞれ互いに平行をなすようにして左右方向に全長に亘って形成されている。
【００１８】
手摺部材１３の内面の下端部には、係合溝１７及び嵌合溝１８よりも後方に位置する水平な段差部１９が、その上面と嵌合溝１８の内部の上面とが同一面に整合するようにして一体的に形成されている。なお、上記係合溝１７、嵌合溝１８及び段差部１９は、手摺部材１３を押し出し成形により製作する際に、同時に形成することができる。
【００１９】
２０は、手摺部材１３の左右寸法とほぼ等長をなす合成樹脂製の取付部材で、手摺部材１３の内面の上下寸法とほぼ等しい上下寸法の垂直基板２１の前面のやや下方寄りと下端には、上記係合溝１７に係合可能な左右方向を向く係合片２２と、嵌合溝１８に嵌合可能な左右方向を向く嵌合片２３とが、それぞれ前向きに一体的に突設されている。なお、係合片２２の厚さは、係合溝１７の上下寸法より所要寸法小さく、嵌合片２３の厚さは、嵌合溝１８の上下寸法とほぼ同等か若干小さくされている。
【００２０】
また、垂直基板２１の下端には、上記段差部１９の上面に載置される左右方向を向く底片２４が、嵌合片２３の下面と同一面をなすように、後向きに一体的に突設されている。底片２４の後端には、付属部品であるロッド状のフェンス２５の下端を支持可能な上向コ字状部を下端に有するフェンス支持部２６が、下向きに連設されている。また、垂直基板２１の上端には、フェンス２５のくの字状をなす折曲部の上面に当接して抜け止めする抜け止め片３５が、斜め後ろ下向きに連設されている。
【００２１】
係合片２２の前端部の上面には、後面が垂直面をなすとともに、前面が斜め上下方向を向く傾斜面とされた係合爪２７が、左右方向に全長に亘って上向きに突設されている。
【００２２】
一方、係合溝１７の上底面には、垂直基片２１の前面が手摺部材１３の内面と当接するまで、係合片２２を係合溝１７に嵌合したときに、上記係合爪２７が弾性係合する突条２８が、左右方向に全長に亘って下向きに突設されている。
【００２３】
手摺部材１３の内面に取付部材２０を取付けるには、取付部材２０の底片２４の下面を段差部１９の上面に載置した後、前方に押動させて、上下の係合片２２と嵌合片２３を、係合溝１７と嵌合溝１８に嵌合させればよい。これにより、係合片２２の係合爪２７が係合溝１７の突条２８に弾性係合し、取付部材２０は手摺部材１３の内面に安定的に取付けられる。
【００２４】
図３は、本発明のオープンショーケースの第２の実施形態における上記と同一部分の断面図である。この第２の実施形態において上記第１の実施形態と異なる点は、取付部材の形状のみであるため、上記と同じ部位及び同一部材には、同じ符号を付すに止めて、その詳細な説明は省略する。
【００２５】
この実施形態の取付部材２０’は、付属部品としてのフロントガラス２９と取付けるためのもので、短寸とされた垂直基板２１の上端と下端とに、上記と同様の係合片２２と嵌合片２３を前向きに突設するとともに、底片２４の後端に、垂直基片２１よりも長寸の支持片３０を、上向きに連設してある。
【００２６】
また、支持片３０の上端部の後面には、吸込口カバー３１の前端を係止するための係止片３２が、支持片３０と若干離間するように上向きに連設されている。手摺部材１３における上記係合片２２と嵌合片２３との間の内面は、垂直基板２１の板厚分だけ前方に凹ませてある。
【００２７】
手摺部材１３の内面に取付部材２０’を取付ける際は、上記実施形態と同様、取付部材２０’の底片２４の下面を段差部１９の上面に載置した後、上下の係合片２２と嵌合片２３を、係合溝１７と嵌合溝１８に嵌合させ、係合片２２の係合爪２７を突条２８に弾性係合させればよい。
【００２８】
取付後において、垂直基片２１と、その上方の手摺部材１３の内面、底片２４及び支持片３０により、上向きコ字状の凹条空間３３が形成され、この凹条空間３３に、フロントガラス２９を上方より嵌合して取付けることができる。
【００２９】
以上説明したように、上記第１、第２の実施形態のオープンショーケースにおいては、いずれの取付部材２０，２０’も、ねじや工具等を使用することなく極めて容易に手摺部材１３の冷蔵室５側の内面に取付けることができる。
【００３０】
また、係合溝１７と係合片２２とに設けた突条２８及び係合爪２７は、左右方向を向いており、互いの係合領域が左右方向に長いので、取付部材２０，２０’を、がたなく安定的に取付けることができる。
【００３１】
さらに、段差部１９は、係合溝１７の下方においてそれよりも後方に位置するとともに、底片２４の前端に連設した嵌合片２３を、前方に凹入する嵌合溝１８に嵌合して、段差部１９への支持面積を大としているため、特に、第２の実施形態においてフロントガラス２９に後向きの外力が加わっても、その力の殆どは、段差部１９により受けられ、係合片２２にはあまり作用しないので、係合片２２が抜け外れたり、垂直基板２１と手摺部材１３の内面との間に隙間が形成されて、冷気が漏れたり、結露が発生したりするのが防止される。
【００３２】
なお、上記実施形態においては、係合片２２と係合溝１７とに設けた係合手段を、係合爪２７と突条２８とからなるものとしたが、図４に拡大して示すように、上記突条２８に代えて、凹条３４を設け、係合片２２を係合溝１７と嵌合した際、係合爪２７が凹条３４内に弾性係合するようにしてもよい。
【００３３】
また、図示は省略するが、係合爪２７を係合片２２の下面に突設するとともに、突条２８や凹条３４を、係合溝１７の底面に設けてもよい。
【００３４】
上記実施形態では、外箱２の開口部の上端に、合成樹脂製の手摺部材１３を設け、その内面に取付部材２０，２０’を取付けているが、このような手摺部材１３を省略し、外箱２の下部開口部における冷蔵室５側の内面に、上記のような係合溝１７、嵌合溝１８及び段差部１９を設けることもできる。
【図面の簡単な説明】
【００３５】
【図１】本発明のオープンショーケースの第１の実施形態を示す中央縦断側面図である。
【図２】同じく、下部開口部の拡大断面図である。
【図３】同じく、第２の実施形態における下部開口部の拡大断面図である。
【図４】係合片と係合溝との係合手段の変形例を示す要部の拡大断面図である。
【符号の説明】
【００３６】
１    冷蔵ショーケース（オープンショーケース）
２    外箱
３    内箱
５    冷蔵室
１３  手摺部材
１４  断熱材
１７  係合溝
１８  嵌合溝
１９  段差部
２０，２０’  取付部材
２１  垂直基板
２２  係合片
２３  嵌合片
２４  底片
２５  フェンス（付属部品）
２６  フェンス支持部
２７  係合爪
２８  突条
２９  フロントガラス（付属部品）
３０  支持片
３３  凹条空間
３４  凹条
【図１】
2007275274.tif 000003
【図２】
2007275274.tif 000004
【図３】
2007275274.tif 000005
【図４】
2007275274.tif 000006